(57)【要約】【課題】追い刷印刷で先行画像がウラ面に印刷されるときに、効率よく、かつ適正な印刷物を得ることを可能にする。【解決手段】転写媒体に画像を形成する画像形成部と、前記画像形成部を制御する制御部と、を備え、前記制御部は、転写媒体のウラ面のみに先行画像を形成して追い刷印刷を行う際に、ウラ面の画像位置設定情報に基づいて転写媒体のオモテ面に先行画像を形成する処理を実行可能にすることで、効率のよい印刷処理を可能にし、かつ印刷を適正に行うことを可能にする。【選択図】図５
2017156504.tif 000002
【特許請求の範囲】
【請求項１】
転写媒体に画像を形成する画像形成部と、
前記画像形成部を制御する制御部と、を備え、
前記制御部は、転写媒体のウラ面のみに先行画像を形成して追い刷印刷を行う場合に、ウラ面の画像位置設定情報に基づいて転写媒体のオモテ面に先行画像を形成する処理を実行可能にすることを特徴とする画像形成装置。
【請求項２】
前記先行画像が箔用画像であり、前記箔用画像は、追い刷印刷前に箔膜を定着させるものであることを特徴とする請求項１記載の画像形成装置。
【請求項３】
前記箔用画像に箔膜を定着させる箔押し機を有することを特徴とする請求項２記載の画像形成装置。
【請求項４】
前記制御部は、画像形成を転写媒体の片面にのみ印刷する片面印刷モードと、画像形成を転写媒体のオモテ面とウラ面の両方に印刷する両面印刷モードと、を有し、
前記先行画像を形成する前記処理では片面印刷モードで印刷を行うことを特徴とする請求項２または３に記載の画像形成装置。
【請求項５】
操作入力を受け付ける操作部を有し、
前記制御部は、前記操作部を通して、ユーザーに対し、先行画像を転写媒体のオモテ面に形成するか、転写媒体のウラ面に印刷するかを選択可能にすることを特徴とする請求項１〜４のいずれか１項に記載の画像形成装置。
【請求項６】
前記制御部は、追い刷印刷を、先行画像を印刷した画像形成装置で実行することを特徴とする請求項１〜５のいずれか１項に記載の画像形成装置。
【請求項７】
前記制御部は、転写媒体のオモテ面にウラ面用の先行画像が形成された転写媒体を、表裏面を逆にした前提で追い刷印刷を行うことを特徴とする請求項６記載の画像形成装置。
【請求項８】
操作入力を受け付ける操作部を有し、
前記制御部は、転写媒体のオモテ面にウラ面用の先行画像が形成されている場合、追い刷印刷に際し表裏面を逆にして転写媒体をセットするように前記操作部に通知を行うことを特徴とする請求項７記載の画像形成装置。
【請求項９】
前記制御部は、転写媒体のウラ面に対する画像位置設定情報が、先行画像の印刷および追い刷印刷の際に有効であることを特徴とする請求項１〜８のいずれか１項に記載の画像形成装置。
【請求項１０】
前記先行画像の印刷と、前記追い刷印刷とが一つのジョブとして設定されていることを特徴とする請求項１〜９のいずれか１項に記載の画像形成装置。
【請求項１１】
ウラ面の画像位置設定情報がシフト量設定、先端イレース量設定および画像形成位置調整の１つ以上であることを特徴とする請求項１〜１０のいずれか１項に記載の画像形成装置。
【請求項１２】
転写媒体のウラ面のみに先行画像を形成して追い刷印刷を行う場合に、ウラ面の画像位置設定情報に基づいて転写媒体のオモテ面に先行画像を形成する処理を実行することを特徴とする画像形成方法。
【請求項１３】
前記先行画像が箔用画像であり、追い刷印刷前に前記箔用画像に箔膜を定着させることを特徴とする請求項１２記載の画像形成方法。
【請求項１４】
転写媒体に画像を形成する画像形成部を備える画像形成装置の管理を行う管理装置であって、
転写媒体のウラ面のみに先行画像を形成して追い刷印刷を行う場合に、ウラ面の画像位置設定情報に基づいて転写媒体のオモテ面に先行画像を形成する処理を前記画像形成装置に実行させる管理制御部を有することを特徴とする管理装置。
【請求項１５】
転写媒体に画像を形成する画像形成部と、前記画像形成部を制御する制御部と、を備える画像形成装置の管理装置であって、
転写媒体のウラ面のみに先行画像を形成して追い刷印刷を行う場合に、ウラ面の画像位置設定情報に基づいて転写媒体のオモテ面に先行画像を形成する処理を前記制御部に指示することを特徴とする管理装置。
【請求項１６】
転写媒体に画像を形成する画像形成部の制御を行う制御部で実行される制御プログラムであって、
転写媒体のウラ面のみに先行画像を形成して追い刷印刷を行う場合に、ウラ面の画像位置設定情報に基づいて転写媒体のオモテ面に先行画像を形成する処理の実行を制御するステップを有することを特徴とする制御プログラム。
【請求項１７】
前記先行画像が箔用画像であり、追い刷印刷前に前記箔用画像に箔膜を定着させる処理の制御を行うステップを有することを特徴とする請求項１６に記載の制御プログラム。
【請求項１８】
転写媒体に画像を形成する画像形成部の制御を行う制御部に対する指示を行う管理制御部で実行される制御プログラムであって、
転写媒体のウラ面のみに先行画像を形成して追い刷印刷を行う場合に、ウラ面の画像位置設定情報に基づいて転写媒体のオモテ面に先行画像を形成する処理の実行を指示するステップを有することを特徴とする制御プログラム。
【請求項１９】
前記先行画像が箔用画像であり、追い刷印刷前に前記箔用画像に箔膜を定着させる処理の指示を行うステップを有することを特徴とする請求項１８に記載の制御プログラム。
【発明の詳細な説明】
【技術分野】
【０００１】
この発明は、先行画像の印刷と追い刷印刷とを行うことができる画像形成装置、画像形成方法、管理装置および制御プログラムに関する。
【背景技術】
【０００２】
画像データに基づいて転写媒体に画像を印刷する画像形成装置では、先行画像が印刷された転写媒体に、さらに画像を形成する追い刷印刷を行う場合がある。また、転写媒体に箔膜を設ける際に、トナー像を接着層に利用することが知られており（例えば特許文献１参照）、箔用画像を定着した後に、箔用画像に沿った形状の箔膜を転写して定着する方法が行われている（例えば特許文献２参照）。
【０００３】
ところで、両面プリントで、ウラ面に箔用画像印刷を実施する場合には、１回目の箔用画像印刷時にオモテ面とウラ面の画像を準備して、オモテ面は白紙画像（何も印刷しないため）、ウラ面のみ箔用画像を印刷する。２回目の追い刷印刷時で、オモテ面とウラ面の画像をそれぞれ印刷して、ウラ面が箔用画像の上に追い刷されて成果物ができる。
【先行技術文献】
【特許文献】
【０００４】
【特許文献１】特開昭６２−２５５１８４号公報
【特許文献２】特開２０１２−１４５６２２号公報
【発明の概要】
【発明が解決しようとする課題】
【０００５】
しかし、従来の印刷方法では、１回目の箔用画像印刷時のオモテ面は、白紙画像をコントローラーなどから送信しなければならず無駄である。
また１回目の箔用画像印刷時にウラ面用の箔用画像のみを片面印刷したのでは、片面なのでオモテ用の設定値が使用されてしまい、２回目の印刷である追い刷印刷時には、箔が付いているのはウラ面となるため、箔用画像と追い刷画像がズレてしまうという課題がある。
【０００６】
上記した課題を、図面を参照して具体的に説明する。
図７Ａに最終成果物のイメージ図を示す。
表裏面には画像が形成され、さらにウラ面では点図で示した箔用画像印刷部分がある。
上記印刷処理では、先ず箔用画像を印刷する。箔用画像印刷時のプリントデータは、図７Ｂの左側に示すように、オモテ面白紙画像を準備して、印刷を実施するウラ画面は本体（画像形成装置）でシフトするため中央部にある。印刷では、シフト量としてオモテ：０、ウラ：−１０（下方）の設定がされているものとして、Ｂ図の右側に示すように、ウラ面は下方向にシフトして箔用画像が形成される。シフト量としてはｍｍ単位を用いることができる。
【０００７】
次いで追い刷印刷では、プリントデータとして図７Ｃの左側のものが準備されており、オモテ：０、ウラ：−１０（下方）のシフト量設定によって追い刷印刷が行われ、図７Ｃの右図の印刷物（最終成果物）が得られる。
上記のように、従来の印刷方法では、白紙画像を用意するために、効率の低下などを招くことになり無駄が生じる。
【０００８】
また、従来の方法を改善するために、箔用画像を転写媒体のオモテ面に印刷することが考えられる。
先ず、箔用画像を印刷する。
この場合、図８Ａの左側に示すように、箔用画像印刷データとして、成果物のウラ面用画像のみ準備して印刷を実施する。すなわち、オモテ：０、ウラ：−１０（下方）のシフト量設定によって片面印刷を行う。印刷結果は、図８Ａの右側に示される。箔用画像印刷時にオモテ面の設定が使用されて印刷されるためシフトされていない。
次いで追い刷印刷では、プリントデータとして図８Ｂの左側に示すプリントデータを準備する。また、転写紙は、オモテ、ウラの向きを変えてトレイにセットする。追い刷印刷では、オモテ：０、ウラ：−１０（下方）のシフト量設定によって印刷が行われる。印刷結果は、図８Ｂの右側に示されている。追い刷印刷時にウラの設定が適用されて印刷される。この結果として箔用画像と追い刷印刷が合わなくなる。すなわち、箔用画像印刷と追い刷印刷での設定パラメータが異なるため箔用画像と追い刷画像が合わなくなる。
【０００９】
本発明は、上記事情を背景としてなされたものであり、ウラ面のみに先行画像を印刷して追い刷印刷を行う際に、効率よく設定に合わせて印刷を行うことができる画像形成装置、画像形成方法、管理装置および制御プログラムを提供することを目的とする。
【課題を解決するための手段】
【００１０】
本発明の画像形成装置のうち、第１の形態は、
転写媒体に画像を形成する画像形成部と、
前記画像形成部を制御する制御部と、を備え、
前記制御部は、転写媒体のウラ面のみに先行画像を形成して追い刷印刷を行う場合に、ウラ面の画像位置設定情報に基づいて転写媒体のオモテ面に先行画像を形成する処理を実行可能にすることを特徴とする。
【００１１】
他の形態の画像形成装置の本発明は、前記形態の本発明において、前記先行画像が箔用画像であり、前記箔用画像は、追い刷印刷前に箔膜を定着させるものであることを特徴とする。
【００１２】
他の形態の画像形成装置の本発明は、前記形態の本発明において、前記箔用画像に箔膜を定着させる箔押し機を有することを特徴とする。
【００１３】
他の形態の画像形成装置の本発明は、前記形態の本発明において、前記制御部は、画像形成を転写媒体の片面にのみ印刷する片面印刷モードと、画像形成を転写媒体のオモテ面とウラ面の両方に印刷する両面印刷モードと、を有し、
前記先行画像を形成する前記処理では片面印刷モードで印刷を行うことを特徴とする。
【００１４】
他の形態の画像形成装置の本発明は、前記形態の本発明において、操作入力を受け付ける操作部を有し、
前記制御部は、前記操作部を通して、ユーザーに対し、先行画像を転写媒体のオモテ面に形成するか、転写媒体のウラ面に印刷するかを選択可能にすることを特徴とする。
【００１５】
他の形態の画像形成装置の本発明は、前記形態の本発明において、前記制御部は、追い刷印刷を、先行画像を印刷した画像形成装置で実行することを特徴とする。
【００１６】
他の形態の画像形成装置の本発明は、前記形態の本発明において、前記制御部は、転写媒体のオモテ面にウラ面用の先行画像が形成された転写媒体を、表裏面を逆にした前提で追い刷印刷を行うことを特徴とする。
【００１７】
他の形態の画像形成装置の本発明は、前記形態の本発明において、操作入力を受け付ける操作部を有し、
前記制御部は、転写媒体のオモテ面にウラ面用の先行画像が形成されている場合、追い刷印刷に際し表裏面を逆にして転写媒体をセットするように前記操作部に通知を行うことを特徴とする。
【００１８】
他の形態の画像形成装置の本発明は、前記形態の本発明において、前記制御部は、転写媒体のウラ面に対する画像位置設定情報が、先行画像の印刷および追い刷印刷の際に有効であることを特徴とする。
【００１９】
他の形態の画像形成装置の本発明は、前記形態の本発明において、前記先行画像の印刷と、前記追い刷印刷とが一つのジョブとして設定されていることを特徴とする。
【００２０】
他の形態の画像形成装置の本発明は、前記形態の本発明において、ウラ面の画像位置設定情報がシフト量設定、先端イレース量設定および画像形成位置調整の１つ以上であることを特徴とする。
【００２１】
本発明の画像形成方法のうち、第１の形態は、転写媒体のウラ面のみに先行画像を形成して追い刷印刷を行う際に、ウラ面の画像位置設定情報に基づいて転写媒体のオモテ面に先行画像を形成する処理を実行することを特徴とする。
【００２２】
他の形態の画像形成方法の本発明は、前記形態の本発明において、前記先行画像が箔用画像であり、追い刷印刷前に前記箔用画像に箔膜を定着させることを特徴とする。
【００２３】
本発明の管理装置の発明のうち、第１の形態は、転写媒体に画像を形成する画像形成部を備える画像形成装置の管理を行う管理装置であって、
転写媒体のウラ面のみに先行画像を形成して追い刷印刷を行う場合に、ウラ面の画像位置設定情報に基づいて転写媒体のオモテ面に先行画像を形成する処理を前記画像形成装置に実行させる管理制御部を有することを特徴とする。
【００２４】
他の形態の管理装置の発明は、前記形態の本発明において、転写媒体に画像を形成する画像形成部と、前記画像形成部を制御する制御部と、を備える画像形成装置の管理装置であって、
転写媒体のウラ面のみに先行画像を形成して追い刷印刷を行う場合に、ウラ面の画像位置設定情報に基づいて転写媒体のオモテ面に先行画像を形成する処理を前記制御部に指示することを特徴とする。
【００２５】
本発明の制御プログラムのうち、第１の形態は、転写媒体に画像を形成する画像形成部の制御を行う制御部で実行される制御プログラムであって、
転写媒体のウラ面のみに先行画像を形成して追い刷印刷を行う場合に、ウラ面の画像位置設定情報に基づいて転写媒体のオモテ面に先行画像を形成する処理の実行を制御するステップを有することを特徴とする。
【００２６】
他の形態の制御プログラムの発明は、前記形態の本発明において、前記先行画像が箔用画像であり、追い刷印刷前に前記箔用画像に箔膜を定着させる処理の制御を行うステップを有することを特徴とする。
【００２７】
他の形態の制御プログラムの発明は、前記形態の本発明において、転写媒体に画像を形成する画像形成部の制御を行う制御部に対する指示を行う管理制御部で実行される制御プログラムであって、
転写媒体のウラ面のみに先行画像を形成して追い刷印刷を行う場合に、ウラ面の画像位置設定情報に基づいて転写媒体のオモテ面に先行画像を形成する処理の実行を指示するステップを有することを特徴とする。
【００２８】
他の形態の制御プログラムの発明は、前記形態の本発明において、前記先行画像が箔用画像であり、追い刷印刷前に前記箔用画像に箔膜を定着させる処理の指示を行うステップを有することを特徴とする。
【発明の効果】
【００２９】
本発明によれば、先行画像印刷がウラ面である場合は、先行画像印刷時も表裏調整ではウラ面の調整値を適用することで、上記のようにオモテ面のために白紙画像を設ける制御を行う必要もなく、また追い刷印刷時も表裏調整値などが合って適正な成果物が得られる、という効果がある。
【図面の簡単な説明】
【００３０】
【図１】本発明の一実施形態の画像形成装置および画像形成システムの概略を示す図である。
【図２】同じく、制御ブロック図である。
【図３】同じく、本実施形態における画像形成の手順を説明するフローチャートである。
【図４】同じく、箔用画像の印刷設定画面を示す図である。
【図５】同じく、本実施形態における画像印刷のイメージを説明する図である。
【図６】他の実施形態における箔用画像の印刷設定画面を示す図である。
【図７】従来例による箔印刷の印刷イメージを示す図である。
【図８】従来例を変更した場合の箔印刷の印刷イメージを示す図である。
【発明を実施するための形態】
【００３１】
以下に、本発明の一実施形態を添付図面に基づいて説明する。
図１は、画像形成装置を含む画像形成システム１の機械的概要を示す図である。
画像形成システム１は、給紙部２０と画像形成装置本体１０と箔押し機３０と後処理部４０とを備えている。後処理部４０は、後処理装置に相当する。なお、この実施形態では、画像形成装置本体１０が画像形成装置に相当する。本発明としては、画像形成装置本体１０に、給紙部２０や箔押し機３０、後処理部４０などを含むものを画像形成装置とするものであってもよく、その構成は特に限定されない。
【００３２】
給紙部２０は、転写紙を保持するための機構を有するものであり、画像形成装置本体１０の用紙搬送方向の上流側に連結され、用紙を収容する複数段の給紙トレイ（図示しない）を有している。各給紙トレイは、任意のサイズの用紙がセット可能に構成されたユニバーサルトレイである。給紙部２０は、ユーザーにより指定された用紙が収容された給紙トレイから用紙を一枚ずつ給紙し、順番に搬送ローラー等を介して下流側の画像形成装置本体１０に給送する。なお、本実施形態では、一台の給紙部２０を使用した例を説明したが、これに限定されることはなく、給紙部２０を２台以上連結させてもよい。用紙は、本発明における転写媒体に相当する。なお、転写媒体は紙に限定されるものではなく、布やプラスチックでもよく、本発明としては画像を転写できるものであればよく、材質が限定されるものではない。
【００３３】
画像形成装置本体１０は、箔転写処理時において、給紙部２０や画像形成装置本体１０内の給紙部から給紙される用紙に所定の箔用画像を転写して後段の箔押し機３０に搬送する。
【００３４】
また、画像形成装置本体１０は、ユーザー操作による箔転写処理に関する各種条件の設定等を受け付けるための操作部１４０を備えている。操作部１４０は、画像形成装置本体１０の筐体上面部に取り付けられ、例えばＬＣＤ（Ｌｉｑｕｉｄ  Ｃｒｙｓｔａｌ  Ｄｉｓｐｌａｙ）等からなるタッチパネルとこのタッチパネルの周辺部に設けられた数字ボタンやプリントスタートボタン等を含むハードキーとを有している。操作部１４０は、箔転写処理に関する条件として、例えば、箔画像の印刷を行うか否か、ウラ面に箔画像の印刷を行うジョブで、箔画像をオモテ面に印刷するかウラ面に印刷するかを設定することができる。
これらの受け付けは、画像形成装置本体１０にネットワークなどに接続される図示しないコンピューター等、種々の方法により行うこともできる。
【００３５】
箔押し機３０は、画像形成部で転写された箔用画像に、箔像を転写する機構を有するものであり、画像形成装置本体１０の用紙搬送方向の下流側に連結される。画像形成装置本体１０から搬送され、所定の箔用画像が転写された用紙に箔シートを加熱圧着することで所定の箔像を転写する。所定の箔像が転写された用紙は、後段の後処理部４０に搬送される。
【００３６】
後処理部４０は、箔押し機３０の用紙搬送方向の下流側に連結される。後処理部４０は、画像形成が完了して箔押し機３０から搬送されてくる用紙に、例えば、ステープル処理や、中折り処理、三つ折り処理、中綴じステープル処理等のフィニッシャー処理を行う。また、後処理部４０は、箔押し機３０により箔転写処理が行われた用紙を排紙トレイに排紙する。
【００３７】
［画像形成装置の構成例］
次に、画像形成装置本体１０の構成例について図１に基づいて説明する。画像形成装置本体１０は、タンデム型の画像形成装置と称されるものであり、制御部１００、操作部１４０、自動原稿給紙部１３Ａ、読取部１３Ｂ、画像形成部１５、定着部１５Ｄおよび給紙部２０等を備えている。
【００３８】
画像読取部１３Ｂは、自動原稿給紙部１３Ａから一枚ずつ搬送される原稿等に光源から光を照射し、その反射光をＣＣＤ（Ｃｈａｒｇｅ  Ｃｏｕｐｌｅｄ  Ｄｅｖｉｃｅ）１３１（図２示）で受光することで原稿の画像データを取得する。画像読取部１３Ｂで取得された画像データは、読取り処理部１１６（図２示）によりアナログ処理、アナログ／ディジタル（以下Ａ／Ｄという）変換処理、画像圧縮処理等が行われる。
【００３９】
操作部１４０は、使用する転写媒体としての用紙の種類の設定、全ての画像データの中から箔を転写する箔処理領域の選択の設定、箔処理するために所定のトナー像の各画像を太らせて拡大する輪郭領域の設定等を行う選択画面を表示し、ユーザーにより用紙の箔画像印刷の有無を含めた設定等を受け付ける。なお、操作部１４０は、箔押し機３０に設けてもよい。全ての画像データの中から箔処理領域を設定する方法は、例えば、文字、線画、グラフィック等の属性を選択することによる設定、座標を入力することによる箔処理領域の選択による設定等により行われる。
【００４０】
画像処理部１４０は、画像データの中から選択された箔処理領域に対応した画像データを生成する。
画像形成部１５は、電子写真方式により画像を形成するものであり、イエロー（Ｙ）、マゼンタ（Ｍ）、シアン（Ｃ）色の画像、黒（Ｋ）色の画像を形成する画像形成部１５を有している。画像形成部１５は、各色用の感光体１５Ａにより形成されて現像された画像を保持する中間転写ベルト１５Ｂと、中間転写ベルト１５Ｂ上にある画像を用紙に転写するための二次転写ローラー１５Ｃとを有している。
【００４１】
画像形成部１５では、各色用に前記した感光体１５Ａと、その周囲に配置される帯電部、露光部、現像部およびクリーニング部を有している。図では、帯電部、露光部、現像部およびクリーニング部は図示していない。以下に、各色用について説明する。
帯電部は、各色において、感光体１５Ａのオモテ面をほぼ一様に帯電する。露光部は、例えばＬＥＤアレイと結像レンズとを有するＬＰＨ（ＬＥＤ  Ｐｒｉｎｔ  Ｈｅａｄ）や、ポリゴンミラー方式のレーザ露光走査装置により構成され、画像データに基づいて感光体１５Ａをレーザ光により走査して静電潜像を形成する。現像部は、感光体１５Ａ上に形成された静電潜像をトナーにより現像する。これにより、感光体１５Ａ上に可視画像であるトナー像が形成される。中間転写ベルト１５Ｂは、複数のローラーにより張架されると共に走行可能に支持されている。中間転写ベルト１５Ｂが走行して、中間転写ベルト１５Ｂの画像転写位置に各感光体１５Ａに形成されたトナー像が一次転写される。中間転写ベルト１５Ｂに転写された画像は、二次転写ローラー１５Ｃによって用紙に転写される。用紙に転写された画像は、定着部１５Ｄで定着される。色として透明色を含むものであってもよい。なお、この実施形態では、カラーの画像形成装置について説明したが、画像形成装置は、モノクロのものであってもよい。
【００４２】
本実施形態では、例えば操作部１４０や図示しないコンピューター等によってプリント対象となる箔像を転写する所定の箔処理領域が選択されると、このプリント対象となる箔処理領域の画像データが各感光体１５Ａに形成される。このトナー像は、イエロー色、マゼンタ色、シアン色、黒色のうちの何れかの色を用いて形成することもできるし、これらの色のうち少なくとも２色以上からなる色を用いて形成することもできる。
【００４３】
給紙部２０は、Ａ３やＡ４等の各用紙サイズを収容する複数の給紙トレイ（図示しない）を有している。給紙された用紙は、搬送路１４上で搬送ローラー、レジストローラー１４Ａを通して搬送される。
【００４４】
レジストローラー１４Ａに搬送された用紙は、レジストローラー１４Ａで用紙の斜行を補正するレジスト補正が行われる。レジスト補正が終了すると、用紙は所定のタイミングで二次転写ローラー１５Ｃへと搬送される。二次転写ローラー１５Ｃでは、中間転写ベルト１５Ｂの画像形成位置に転写されたトナー像が、給紙部２０から搬送されてくる用紙のオモテ面に一括二次転写される。２次転写された用紙は、定着部１５Ｄに搬送される。
【００４５】
定着部１５Ｄは、二次転写ローラー１５Ｂよりも用紙搬送方向の下流側に設けられ、加圧ローラーおよび加熱ローラー等を有している。定着部１５Ｄは、二次転写ローラー１５Ｂで画像が転写された用紙に加圧、加熱処理を行うことにより用紙オモテ面のトナー像を用紙に定着させる。
【００４６】
定着部１５Ｄの搬送方向の下流側には、用紙の搬送経路を排紙経路側または反転経路側に切り替えるための切替部１４Ｂが設けられている。切替部１４Ｂは、選択されているプリントモード（片面プリントモードまたは両面プリントモード）に基づいて搬送経路の切り替え制御を行う。片面プリントモードで片面のプリントが終了した用紙、または両面プリントモードで両面のプリントが終了した用紙は、定着部１５Ｄで定着処理が施された後、排紙ローラー１４Ｄにより箔押し機３０に搬送される。
【００４７】
一方、両面プリントモードで用紙を表裏反転させる場合、オモテ面側に画像が形成された用紙またはオモテ面に画像が形成されていない用紙は、切替部１４Ｂを介して反転部１４Ｃに搬送される。反転部１４Ｃは、用紙を反転してウラ面を印字するための機構である。反転部１４Ｃに搬送された用紙は、逆回転制御により用紙の後端を先頭にしてスイッチバック搬送され、用紙の表裏反転させた状態で、画像形成部１５に再給紙される。画像形成部１５に再給紙された用紙は、用紙のオモテ面側の画像形成処理と同様に、二次転写ローラー１５Ｃにて用紙のウラ面に所定のトナー像が転写される。本実施形態では、用紙の両面に所定のトナー像を転写する場合、この用紙の表裏を反転させることでウラ面側にも所定のトナー像を転写させる。画像形成部１５によりウラ面にトナー像が転写された用紙は、定着部１５Ｄで定着処理が行われた後に、排紙ローラー１４Ｄ等を介して箔押し機３０に搬送される。
【００４８】
制御部１００は、画像形成装置本体１０全体を制御するとともに、画像形成システム１の制御を行う。制御部１００は、ＣＰＵやこれを動作させるプログラム、動作パラメータなどを記憶した記憶部などによって構成される。
【００４９】
［箔転写装置の構成例］
次に、箔押し機３０について説明する。図１に示すように、箔押し機３０は、画像形成装置本体１０の搬送路１４と連なるように搬送路３４を有しており、搬送方向下流側で後処理部４０に接続されている。箔押し機３０では、上流側に箔膜シート給送部３２が設けられて箔膜シートがロール状に設置されて一端が送り出し可能になっている。また、箔押し機３０では、下流側で箔膜シート巻取部３３が設置されており、箔膜シート給送部３２から送り出されて転写に用いた箔膜シートが巻き取られる。
搬送路３４の中途には箔膜シート転写部３１を有しており、箔膜シート給送部３２と箔膜シート巻取部３３との間で、箔膜シート転写部３１を介して箔膜シートが移動可能に掛け渡されている。
箔膜シート転写部３１では、箔膜シートが上面側に位置し、その下方側で、搬送路３４で搬送される用紙が移動する。
【００５０】
箔膜の転写では、用紙搬送速度と、箔膜シート給送部３２と箔膜シート巻取部３３間の箔膜シートの速度とが同じ速度になるように制御されて用紙の搬送と、箔膜シートの移動とが行われる。箔膜シート転写部３１では、箔膜シート給送部３２から箔膜シートを搬送し、箔膜シート転写部３１で画像形成された用紙の現像剤と箔膜シートを重ねて加熱し、融解した現像剤により箔シートを定着させる。箔膜シート転写部３１の上下ローラーは、箔画像転写時のみ圧着され、通常画像搬送時には圧着解除される。                        転写を実施した箔膜シートは箔膜シート巻き取り部３３により回収される。
【００５１】
後処理部４０では、必要に応じて、ステープル、パンチ、折り、製本などの適宜の処理が行われ、排紙部４１に排紙される。後処理を行わない場合は、そのまま排紙部４１に排紙される。
【００５２】
次に、画像形成システムにおける制御ブロックを図２に基づいて説明する。
画像形成装置本体１０は、主要な構成として、制御ブロック１１０とスキャナー部１３０と操作部１４０とプリンター部１５０とを有するデジタルコピアと、ネットワーク６を通して外部装置５との間で入出力される画像データを処理する画像処理部（プリント＆スキャナーコントローラー）１６０とを備えている。
【００５３】
制御ブロック１１０はＰＣＩバス１１２を有しており、ＰＣＩバス１１２は制御ブロック１１０内でＤＲＡＭ制御ＩＣ１１１に接続されている。また、ＰＣＩバス１１２には、コントローラーＩＣ１１８を介してＨＤＤ１１９が接続されている。ＨＤＤ１１９では、画像データの格納などをすることができる。
【００５４】
さらに制御ブロック１１０には、画像制御ＣＰＵ１１３を備えており、画像制御ＣＰＵ１１３に前記ＤＲＡＭ制御ＩＣ１１１が接続されている。また、画像制御ＣＰＵ１１３には、不揮発メモリー１１５が接続されている。不揮発メモリー１１５には、上記画像制御ＣＰＵ１１３で実行されるプログラムや画像形成装置本体１０の設定データ、プロセス制御パラメータなどが格納されている。
画像制御ＣＰＵ１１３は、プログラムの実行によって画像形成システム１の全体を制御し、また画像形成システム１全体の状態把握を行うものであり、用紙の搬送制御、画像形成制御などを行う。すなわち、画像制御ＣＰＵ１１３と画像制御ＣＰＵ１１３で動作するプログラム、不揮発メモリー１１５などは、本発明の制御部１００を構成する。
画像制御ＣＰＵ１１３には、ＲＴＣ（日時データ発生装置）１２５が接続されており、日時データを画像制御ＣＰＵ１１３に送信することができる。
【００５５】
前記スキャナー部１３０は、光学読み取りを行うＣＣＤ１３１と、スキャナー部１３０全体の制御を行うスキャナー制御部１３２とを備えている。スキャナー制御部１３２は、前記画像制御ＣＰＵ１１３とシリアル通信可能に接続されており、画像制御ＣＰＵ１１３による制御を受ける。なお、スキャナー制御部１３２は、ＣＰＵやこれを動作させるプログラムなどによって構成することができる。前記ＣＣＤ１３１で読み取った画像データは、読み取り処理部１１６でデータ処理がなされる。読み取り処理部１１６はＤＲＡＭ制御ＩＣ１１１に接続されている。
【００５６】
操作部１４０は、タッチパネル式のＬＣＤ１４１と、操作部制御部１４２とを備えており、上記ＬＣＤ１４１と操作部制御部１４２とが接続され、該操作部制御部１４２と前記画像制御ＣＰＵ１１３とがシリアル通信可能に接続されている。該構成によって操作部１４０の制御が画像制御ＣＰＵ１１３によって行われる。なお、操作部制御部１４２は、ＣＰＵやこれを動作させるプログラムなどによって構成することができる。
操作部１４０では、画像形成装置本体１０、給紙部２０や後処理部４０に対する各種の設定を行い、設定に基づいて画像制御ＣＰＵ１１３によって画像形成と用紙の搬送や後処理が制御される。
【００５７】
操作部１４０では、画像形成システム１における設定や動作指令などの動作制御条件の入力が可能となっており、さらに設定内容、機械状態、情報の表示等が可能になっており、画像制御ＣＰＵ１１３により制御される。この操作部１４０によって、所定の操作などを行うことができる。例えば、ウラ面に印刷を行う設定の箔用画像を、ウラ面に印刷するか、オモテ面に印刷するか、オモテ面に印刷する際に、片面印刷モードを選択するか、両面印刷モードを選択するかなどの設定を行うことができる。これらの設定は、初期設定によっていずれかが設定されているものであってもよく、これを操作部１４０で変更できるようにしてもよい。
【００５８】
また、ＤＲＡＭ制御ＩＣ１１１は、圧縮メモリー１２１とページメモリー１２２とからなる画像メモリー１２０に接続されている。該画像メモリー１２０には、前記スキャナー部１３０で取得した画像データやネットワーク６を通して取得した画像データが格納される。上記のように画像メモリー１２０は、画像データの記憶領域であり、印刷するジョブの画像データを格納する。また、上記ＤＲＡＭ制御ＩＣ１１１によって複数のジョブに関する画像データを画像メモリー１２０に記憶させることができる。すなわち、画像メモリー１２０には予約されたジョブの画像データの格納も可能である。また、画像データは、ＨＤＤ１１９に格納することもできる。
【００５９】
ＤＲＡＭ制御ＩＣ１１１には、画像データを圧縮し、または圧縮したデータを伸長する圧縮／伸長ＩＣ１１７が接続されている。ＤＲＡＭ制御ＩＣ１１１には書き込み処理部１２３が接続されている。該書き込み処理部１２３は、プリンター部１５０のＬＤ１５Ｅに接続され、該ＬＤ１５Ｅの動作に用いられるデータの処理を行う。ＬＤ１５Ｅは、各色用のＬＤを総称するものである。また、プリンター部１５０は、画像形成部１５や搬送経路１４を含む搬送部を制御する。
【００６０】
プリンター部１５０には、プリンター部１５０全体を制御するプリンター制御部１５１を備えており、該プリンター制御部１５１は、前記した画像制御ＣＰＵ１１３に接続されて制御を受ける。すなわち、画像制御ＣＰＵ１１３から与えられるパラメータに従い、プリント動作の開始／停止を行う。プリンター制御部１５１には、給紙部２０や箔押し機３０の外部装置制御部３００や後処理部４０の外部装置制御部４００が制御可能に接続されており、画像制御ＣＰＵ１１３の指令によってプリンター制御部１５１を介して用紙の搬送や後処理の制御を行うことができる。
【００６１】
また、前記ＤＲＡＭ制御ＩＣ１１１に接続された前記ＰＣＩバス１１２には、前記した画像処理部（プリント＆スキャナーコントローラー）１６０のＤＲＡＭ制御ＩＣ１６１が接続されている。画像処理部（プリント＆スキャナーコントローラー）１６０では、ＤＲＡＭ制御ＩＣ１６１に画像メモリー１６２が接続されている。また、画像処理部（プリント＆スキャナーコントローラー）１６０では、前記ＤＲＡＭ制御ＩＣ１６１にコントローラー制御部１６３が接続されており、ＤＲＡＭ制御ＩＣ１６１に、ＬＡＮ制御部１６４、ＬＡＮインターフェース１６５が接続されている。ＬＡＮインターフェース１６５は、ネットワーク６に接続されている。
【００６２】
ネットワーク６には、外部装置５が接続されており、画像形成装置本体１０との間で画像データの送受信を行うことができる。また、外部装置５には外部装置制御部５００を備えており、外部装置５の制御の他に、画像形成装置本体１０との間の通信制御を行う。
外部装置５は、画像形成装置を管理する装置とすることができ、画像形成装置に制御指示を行ったり、直接制御を行ったりすることができる。この場合、外部装置５は本発明の管理装置に相当し、外部装置制御部５００は、本発明の管理制御部に相当する。
この場合、外部装置制御部５００は、画像形成装置本体１０を管理することができる。外部装置制御部５００は、ＣＰＵやこれを動作させるプログラム、記憶部などによって構成することができる。外部装置制御部５００で画像形成装置本体１０に対し、画像形成や片面印刷モード、両面印刷モードの選択指示や制御を行うことができる。なお、ネットワーク６は、さらにＷＡＮとして外部装置５が接続されるものであってもよい。
【００６３】
次に、上記画像形成装置本体１０の基本的動作について説明する。
先ず、画像形成装置本体１０において画像データを蓄積する手順について説明する。
スキャナー部１３０で原稿の画像を読み取り、画像データを生成する場合、スキャナー部１３０において原稿からＣＣＤ１３１により原稿の画像を光学的に読み取る。この際には、画像制御ＣＰＵ１１３から指令を受けるスキャナー制御部１３２によってＣＣＤ１３１の動作制御を行う。ＣＣＤ１３１で読み取られた画像は、読み取り処理部１１６でデータ処理がなされ、データ処理された画像データは、圧縮／伸長ＩＣ１１７において所定の方法によって圧縮され、ＤＲＡＭ制御ＩＣ１１１を介して圧縮メモリー１２１やＨＤＤ１１９に格納される。圧縮メモリー１２１やＨＤＤ１１９に格納された画像データは、画像制御ＣＰＵ１１３によってジョブとして管理することができる。
【００６４】
画像データを外部から取得する場合、例えば、外部装置５などからネットワーク６を通して送信される画像データは、ＬＡＮインターフェース１６５、ＬＡＮ制御部１６４を介して、コントローラー制御部１６３で制御されるＤＲＡＭ制御ＩＣ１６１により画像メモリー１６２に格納される。画像メモリー１６２のデータは、ＤＲＡＭ制御ＩＣ１６１、ＰＣＩバス１１２、ＤＲＡＭ制御ＩＣ１１１を介してページメモリー１２２に一旦格納される。ページメモリー１２２に格納されたデータは、ＤＲＡＭ制御ＩＣ１１１を介して圧縮／伸長ＩＣ１１７に順次送られて圧縮処理され、ＤＲＡＭ制御ＩＣ１１１を介して圧縮メモリー１２１やＨＤＤ１１９に格納され、上記と同様に画像制御ＣＰＵ１１３による管理がなされる。
【００６５】
画像形成装置本体１０で画像出力を行う場合、すなわち複写機やプリンターとして使用する場合、圧縮メモリー１２１やＨＤＤ１１９に格納された画像データを、ＤＲＡＭ制御ＩＣ１１１を介して圧縮／伸長ＩＣ１１７に送出して、画像データを展開し、その展開された画像データを書き込み処理部１２３にて繰り返しＬＤ１５Ｅに展開することで、用紙に画像データを印字することができる。
複写機として使用する場合、操作部１４０上で設定された印刷条件（プリントモード）等の情報を通知し、画像制御ＣＰＵ１１３で設定情報を作成する。作成された設定情報は画像制御ＣＰＵ１１３内のＲＡＭに格納することができる。検知画像の作成、通常印刷の指定もここで行う。
プリンターとして用いる場合、印刷条件は、外部装置５内のプリンタドライバで設定することができる。ここで設定された印刷条件は、画像と同様に（外部装置５→  ＬＡＮ  ＩＦ１６５→  画像メモリー１６２→  ＤＲＡＭ制御ＩＣ１６１（コントローラー）→  ＤＲＡＭ制御ＩＣ１１１（本体）→  ページメモリー１２２に格納される。
【００６６】
また、プリンター部１５０では、画像制御ＣＰＵ１１３の指令を受けたプリンター制御部１５１によって各部の制御が行われる。
画像形成装置本体１０で画像出力を行う場合、印刷条件を、操作部１４０を通して設定し、この設定によって画像制御ＣＰＵ１１３では印刷の制御を行うことができる。画像形成部１５では各感光体１５Ａに、ＬＤ１５Ｅによって書き込まれて現像されたトナー像が中間転写ベルト１５Ｂに転写された後、二次転写ローラー１５Ｃによって給紙部２０によって供給される用紙に転写され、定着部１５Ｄで定着される。画像形成がなされた用紙は、搬送路１４によってそのまま箔押し機３０に送られるか、反転部１４Ｃに送ってウラ面への画像形成が行われる。
ジョブが、箔用画像を形成し、箔画像の転写、追い刷を行うものである場合に、用紙に箔用画像が形成されている場合は、箔押し機３０で箔像が転写され、後処理部４０に搬送される。箔像が形成された用紙は、給紙部２０または画像形成装置本体１０の給紙トレイにセットして追い刷印刷に供する。この際に、ウラ面に箔用画像を印刷する設定で、オモテ面に箔用画像を形成した場合は、用紙をセットする際に表裏を反転してセットをする。
また、追い刷印刷を行った場合は、箔押し機で箔膜シート転写部３１を圧着解除して後処理部４０に搬送し、必要に応じて後処理を行う。
【００６７】
次に、箔像を形成する画像形成の手順を図３のフローチャートに基づいて説明する。以下の手順は制御部または管理制御部の制御によって実施される。
先ず、箔用画像印刷を実施するかの判定を行う（Ｓｔｅｐ１）。箔用画像印刷の実施でない場合（Ｓｔｅｐ１、Ｎｏ）、通常印刷または追い刷印刷を実施し（Ｓｔｅｐ６）、その後、手順を終了する。
箔用画像印刷を実施する場合（Ｓｔｅｐ１、Ｙｅｓ）、追い刷印刷するときにウラ面になる箔用画像印刷の設定であるかを判定する（Ｓｔｅｐ２）。
ウラ面になる箔用画像印刷でない場合（Ｓｔｅｐ２、Ｎｏ）、オモテ面用の設定パラメータを適用し（Ｓｔｅｐ３）、箔用画像印刷を実施し（Ｓｔｅｐ５）、その後、処理を終了する。ウラ面になる箔用画像印刷である場合（Ｓｔｅｐ２、Ｙｅｓ）、ウラ面用設定パラメータを適用し（Ｓｔｅｐ４）、箔用画像を印刷し（Ｓｔｅｐ５）、その後、処理を終了する。なお、追い刷印刷では同様の手順で印刷が実行される。
【００６８】
次に箔を用いた追い刷印刷のジョブにおける設定について説明する。
図４は、操作部１４０に表示された設定画面１４００を示すものであり、仕上げタブ１４０１によって表示される。
設定画面では、箔用画像印刷面設定部１４２０が設けられており、リスト表示によって「しない」、「オモテ」、「ウラ」から一つを選択して表示することができる。設定画面１４００には、ＯＫ釦１４２１とキャンセル釦１４２２とが押下可能に表示されている。
箔用画像印刷面設定部１４２０にいずれかを選択してＯＫ釦１４２１を押下すると選択内容が確定し、キャンセル釦１４２２が押下されると選択内容がキャンセルされる。
【００６９】
次に、本実施形態の印刷によって処理される転写媒体の印刷イメージを図５に基づいて説明する。なお、この例では、箔用画像印刷面設定でオモテが設定されているものとする。
先ず、箔用画像印刷時のプリントデータとして、図５Ａの左側に示すように、成果物のウラ面用画像のみを準備して、ウラ面用シフトを適用して箔用画像印刷を片面印刷モードで実施する。例えば、ウラ面用に用意されたオモテ：０、ウラ：−１０（下方シフト）のシフト量をオモテ面の印刷で使用する。印刷結果は、図５Ａの右側に示されており、オモテ面に、ウラ面の設定が使用されて印刷される。ウラ面には印刷がされない。
【００７０】
追い刷印刷では、図５Ｂの左側に示すように、オモテ面、ウラ面のプリントデータを準備する。また、箔用画像を印刷した用紙は、表裏面を変えてトレイにセットする。シフト量は予めウラ面に設定されているシフト量を用いて追い刷印刷を実施する。追い刷印刷結果は、図５Ｂの右側に示すように、ウラ面で適正なシフトがなされている。
【００７１】
なお、上記では、ウラ面の設定としてシフト量の設定について説明したが、本発明としてはこれに限定されるものではなく、先端イレース量や画像形成位置設定などの画像位置設定情報においても同様に適用することができる。
【００７２】
次に、他の形態を図６の設定画面に基づいて説明する。
図４の設定画面１４００で、箔用画像印刷面設定部１４２０でオモテまたはウラが選択された場合は、片面印刷モードとして、設定画面１４３０で動作モードを片面に設定する。設定画面１４３０では、印刷種類部１４４０に片面が設定されている。この設定では、デフォルトで片面印刷モードに設定し、変更不可にしてもよく、手動によっては変更を行えるようにしてもよい。設定画面１４３０では、ＯＫ釦１４４１とキャンセル釦１４４２とが押下可能に表示されており、ＯＫ釦１４４１を押下することで、設定が確定する。また、キャンセル釦１４４２を押下することで、設定がキャンセルされる。
デフォルトで片面印刷モードにすることで、そのまま印刷すれば効率よく印刷処理を行うことができる。
【００７３】
なお、この実施形態では、先行画像として箔用画像を形成する場合について説明したが、箔用画像以外で先行画像を形成して追い刷印刷をする場合にも本発明を適用することが可能である。
【００７４】
以上、本発明について上記実施形態に基づいて説明を行ったが、本発明の範囲を逸脱しない限りは適宜の変更が可能である。
【符号の説明】
【００７５】
１    画像形成システム
５    外部装置
６    ネットワーク
１０    画像形成装置本体
１４    搬送路
１５    画像形成部
３０    箔押し機
３１    箔膜シート転写部
１００    制御部
１１３    画像制御ＣＰＵ
１４０    操作部
５００    外部装置制御部
１４００  設定画面
１４２０  箔用画像印刷面設定部
１４３０  設定画面
１４４０  印刷種類部
【図１】
2017156504.tif 000003
【図２】
2017156504.tif 000004
【図３】
2017156504.tif 000005
【図４】
2017156504.tif 000006
【図５】
2017156504.tif 000007
【図６】
2017156504.tif 000008
【図７】
2017156504.tif 000009
【図８】
2017156504.tif 000010